(57)【要約】【課題】間欠テープ心線の生産性や変形容易性を損なうことなく、融着作業時に光ファイバホルダにセットする際の作業性を改善する。【解決手段】間欠８心テープ心線１０ａは、８本の光ファイバ心線１１が平行一例に配列されている。両端の光ファイバ心線１１に挟まれた内部の隣り合う光ファイバ心線間の長手方向には、２本の光ファイバ心線毎に連結部１２と非連結部１３とが間欠的に形成され、両端の隣り合う光ファイバ心線間の長手方向には、連結部１４が連続的に形成されている。【選択図】図２
2014228688.tif 000002
【特許請求の範囲】
【請求項１】
４本以上の光ファイバ心線が平行一列に配列された光ファイバテープ心線であって、
両端の光ファイバ心線に挟まれた内部の隣り合う光ファイバ心線間のうち少なくとも一部の隣り合う光ファイバ心線間の長手方向には、連結部と非連結部とが間欠的に形成され、
前記両端の隣り合う光ファイバ心線間の長手方向には、連結部が連続的に形成されていることを特徴とする光ファイバテープ心線。
【請求項２】
前記光ファイバ心線が６本以上の場合、前記内部の隣り合う光ファイバ心線間の長手方向には、複数本の光ファイバ心線毎に連結部と非連結部とが間欠的に形成されていることを特徴とする請求項１に記載の光ファイバテープ心線。
【請求項３】
前記内部の隣り合う光ファイバ心線間の長手方向には、１本の光ファイバ心線毎に連結部と非連結部とが間欠的に形成されていることを特徴とする請求項１に記載の光ファイバテープ心線。
【請求項４】
前記両端のうち少なくとも一端の隣り合う２本の光ファイバ心線の外被部分に、前記光ファイバテープ心線を識別するためのマーキングが付与されていることを特徴とする請求項１〜３のいずれか１項に記載の光ファイバテープ心線。
【請求項５】
請求項１〜４のいずれか１項に記載の光ファイバテープ心線を収容したケーブルコアを外被で被覆したことを特徴とする光ケーブル。
【発明の詳細な説明】
【技術分野】
【０００１】
本発明は、４本以上の光ファイバ心線が平行一列に配列された光ファイバテープ心線及び光ケーブルに関する。
【背景技術】
【０００２】
近年の映像配信、ＩＰ電話、データ通信等のブロードバンドサービスの拡大により、光ファイバによる家庭向けのデータ通信サービス（ＦＴＴＨ：Fiber To The Home）の加入者が増加している。このＦＴＴＨでは、幹線光ファイバケーブルからドロップ光ケーブルを用いて加入者宅等に引き落とされる。
【０００３】
しかし、光ファイバを加入者宅等に引き落とすには、多心のテープ心線を、例えば、４心のテープ心線に分離し、さらには単心の光ファイバ心線に分離（中間分岐）する必要がある。このため、例えば、特許文献１，２には、隣り合う光ファイバ心線同士を長手方向に間欠的に連結することにより、光ファイバ心線の単心分離を容易にすることが可能な光ファイバテープ心線（以下、間欠テープ心線という）が開示されている。
【先行技術文献】
【特許文献】
【０００４】
【特許文献１】特開２００７−２７９２２６号公報
【特許文献２】特開２０１１−１６９９３７号公報
【発明の概要】
【発明が解決しようとする課題】
【０００５】
ここで、上記特許文献１，２に記載されているような間欠テープ心線を、他の光ファイバ心線またはテープ心線と融着接続する際に、間欠テープ心線の端部を固定するために光ファイバホルダが使用される。
【０００６】
図１０は、光ファイバホルダ及び間欠テープ心線を示す図である。図１０（Ａ）は間欠テープ心線がセットされた光ファイバホルダを示す図で、図中、１００は光ファイバホルダ、１１０は間欠テープ心線を示す。また、図１０（Ｂ）は図１０（Ａ）の間欠テープ心線１１０を示す図である。すなわち、間欠テープ心線１１０は、４本の光ファイバ心線１１２ａ〜１１２ｄが平行一列に配列され、隣り合う光ファイバ心線間に連結部１１１ａ〜１１１ｅと非連結部１１３ａ〜１１３ｄとが間欠的に形成されている。
【０００７】
間欠テープ心線１１０と、他の光ファイバ心線またはテープ心線とを融着接続する場合、図１０（Ａ）に示すように、間欠テープ心線１１０の長手方向の端末近傍部分が光ファイバホルダ１００の収納溝にセットされ、保持固定される。そして、間欠テープ心線１１０の各光ファイバ心線１１２ａ〜１１２ｄの被覆が一括除去され、被覆の除去により露出されたガラスファイバを所定の長さで一括カットして端面を揃える。そして、この光ファイバホルダ１００を、そのまま融着接続機にセットして互いの光ファイバ接続端を突き合わせ、アーク放電等により複数本の光ファイバ心線を一括融着して接続する。
【０００８】
しかしながら、間欠テープ心線１１０は、各端部（幅方向）の光ファイバ心線同士が間欠的に固定されているため、連結部以外の非連結部では両端の光ファイバ心線が単心分離された状態となる。このため、間欠テープ心線１１０を光ファイバホルダ１００の収納溝にセットする際に、両端の光ファイバ心線を収納溝に収めることが難しく、次のような問題が発生する。例えば、図１１（Ａ）に示すように、最端の光ファイバ心線１１２ａの単心部（非連結部）が連結部１１１ｃに乗り上げたり、あるいは、図１１（Ｂ）に示すように、端部の隣り合う光ファイバ心線１１２ａ，１１２ｂの単心部同士が交差してしまったり、あるいは、図１１（Ｃ）に示すように、最端の光ファイバ心線１１２ａの単心部が光ファイバホルダ１００の収納溝からはみ出てしまったり、という問題が発生する。
【０００９】
これに対して、間欠テープ心線を光ファイバホルダにセットする際の作業性を改善するために、隣接する光ファイバ心線間における連結部を長くし、単心部（非連結部）を短くすることが考えられる。しかしながら、連結部を長く、単心部を短く加工するのは間欠加工の生産性が悪くなるという問題がある。さらには、連結部が増加するために、変形し難くなり、間欠テープ心線が持つ優れた変形容易性が損なわれてしまう。このため、光ケーブル化後の小径曲げ時に曲げ歪みが増加するといった問題もある。
【００１０】
本発明は、上述のような実情に鑑みてなされたもので、間欠テープ心線の生産性や変形容易性を損なうことなく、融着作業時に光ファイバホルダにセットする際の作業性を改善することができる光ファイバテープ心線及び光ケーブルを提供することを目的とする。
【課題を解決するための手段】
【００１１】
本発明による光ファイバテープ心線は、４本以上の光ファイバ心線が平行一列に配列された光ファイバテープ心線であって、両端の光ファイバ心線に挟まれた内部の隣り合う光ファイバ心線間のうち少なくとも一部の隣り合う光ファイバ心線間の長手方向には、連結部と非連結部とが間欠的に形成され、両端の隣り合う光ファイバ心線間の長手方向には、連結部が連続的に形成されている。
【００１２】
また、光ファイバ心線が６本以上の場合、内部の隣り合う光ファイバ心線間の長手方向には、複数本の光ファイバ心線毎に連結部と非連結部とが間欠的に形成されていることがより好ましい。
また、内部の隣り合う光ファイバ心線間の長手方向には、１本の光ファイバ心線毎に連結部と非連結部とが間欠的に形成されていることがより好ましい。
また、両端のうち少なくとも一端の隣り合う２本の光ファイバ心線の外被部分に、光ファイバテープ心線を識別するためのマーキングが付与されていることがより好ましい。
【００１３】
また、本発明による光ケーブルは、上記における光ファイバテープ心線を収容したケーブルコアを外被で被覆したものである。
【発明の効果】
【００１４】
本発明によれば、間欠テープ心線の両端の隣り合う光ファイバ心線間の長手方向に、連続的に形成された連結部を有することにより、間欠テープ心線の生産性や変形容易性を損なうことなく、融着作業時に光ファイバホルダにセットする際の作業性を改善することができる。
【図面の簡単な説明】
【００１５】
【図１】間欠構造を持つ光ファイバテープ心線の参考例を示す図である。
【図２】本発明による光ファイバテープ心線の一例を示す図である。
【図３】本発明による光ファイバテープ心線の他の例を示す図である。
【図４】図３の間欠８心テープ心線にマーキングを付与した例を示す図である。
【図５】間欠加工前の光ファイバテープ心線の一例を示す図である。
【図６】本発明による間欠テープ心線の製造に使用される製造装置の一例を示す図である。
【図７】図６の間欠加工装置の一例を示す図である。
【図８】本発明による光ケーブルの一例を示す図である。
【図９】本発明による光ケーブルの他の例を示す図である。
【図１０】光ファイバホルダ及び間欠テープ心線を示す図である。
【図１１】融着作業時に間欠テープ心線を光ファイバホルダにセットする際の問題点について説明するための図である。
【発明を実施するための形態】
【００１６】
以下、添付図面を参照しながら、本発明の光ファイバテープ心線及び光ケーブルに係る好適な実施の形態について説明する。
図１は、間欠構造を持つ光ファイバテープ心線の参考例を示す図である。本参考例は、前述の図１０（Ｂ）と同様の間欠構造を持つ８本の光ファイバ心線からなる間欠テープ心線（以下、間欠８心テープ心線ともいう）について示しており、図１（Ａ）は間欠８心テープ心線を幅方向に開いた状態を示し、図１（Ｂ）は間欠８心テープ心線を幅方向に閉じた状態を示す。図中、１０は間欠８心テープ心線、１１は光ファイバ心線、１２は連結部、１３は非連結部を示す。
【００１７】
すなわち、間欠８心テープ心線１０は、８本の光ファイバ心線１１が平行一列に配列され、隣り合う光ファイバ心線間の長手方向に連結部１２と非連結部１３とが間欠的に形成されている。連結部１２は、隣り合う光ファイバ心線間に所定長の紫外線硬化樹脂（以下、ＵＶ樹脂という）が所定間隔で塗布されて形成される。また、非連結部１３は、連結部１２以外の部分であって、ＵＶ樹脂を塗布しないようにして形成される。従って、非連結部１３では、隣り合う光ファイバ心線同士が連結されておらず、単心分離された状態とされる。
【００１８】
なお、光ファイバ心線１１は、例えば、外径が１２５μｍのガラスファイバに、被覆径が２５０μｍ前後のファイバ被覆を施した光ファイバ素線とも言われているもの、あるいは、そのファイバ被覆の外面に着色層を施したものを含めた単心の光ファイバを言うものとする。
【００１９】
上記の図１に示す間欠テープ心線とした場合、各端部（幅方向）の隣り合う光ファイバ心線間に連結部１２と非連結部１３とが間欠的に形成されているため、前述の図１１で説明したような問題が起こり得る。これに対して、本発明による光ファイバテープ心線は、４本以上の光ファイバ心線が平行一列に配列された間欠テープ心線であって、両端の光ファイバ心線に挟まれた内部の隣り合う光ファイバ心線間のうち少なくとも一部の隣り合う光ファイバ心線間の長手方向には、連結部と非連結部とが間欠的に形成され、両端の隣り合う光ファイバ心線間の長手方向には、連結部が連続的に形成されている。これにより、間欠テープ心線の生産性や変形容易性を損なうことなく、融着作業時に光ファイバホルダにセットする際の作業性を改善することができる。
【００２０】
図２は、本発明による光ファイバテープ心線の一例を示す図である。図中、１０ａは間欠８心テープ心線を示す。間欠８心テープ心線１０ａの場合、両端の隣り合う光ファイバ心線間の長手方向には、連続的に連結部１４が形成され、両端の光ファイバ心線に挟まれた内部の隣り合う光ファイバ心線間の長手方向には、複数本の光ファイバ心線毎に連結部１２と非連結部１３とが間欠的に形成されている。ここでは、光ファイバ心線１１が８本の場合について示しており、２本の光ファイバ心線毎に連結部１２と非連結部１３とが間欠的に形成されている。なお、本例の構成は、光ファイバ心線１１が６本以上の場合に適用することができる。
【００２１】
上記において、内部の隣り合う光ファイバ心線間の長手方向には、複数本の光ファイバ心線毎に連結部１２と非連結部１３とが間欠的に形成された間欠連結部を有するが、この間欠連結部の間に挟まれ且つ隣り合う光ファイバ心線間の長手方向には、連結部１４が連続的に形成された連続連結部を有している。本例の場合、内部の隣り合う光ファイバ心線間には、間欠連結部が２本の光ファイバ心線毎に形成されているため、この間欠連結部と、連続連結部とが交互に形成されることになる。
【００２２】
図２の構成とすることで、融着作業時に間欠８心テープ心線１０ａを光ファイバホルダ（図１０（Ａ）を参照）にセットする際の作業性を改善することができる。また、連結部１２に対して非連結部１３の比率が小さくなるため、間欠加工の生産性の点で有利となる。しかし一方で、テープ心線がやや変形し難い。そこで、この点を改良したものを図３に示す。
【００２３】
図３は、本発明による光ファイバテープ心線の他の例を示す図である。図中、１０ｂは間欠８心テープ心線を示す。間欠８心テープ心線１０ｂの場合、両端の隣り合う光ファイバ心線間の長手方向には、連続的に連結部１４が形成され、両端の光ファイバ心線に挟まれた内部の隣り合う光ファイバ心線間の長手方向には、１本の光ファイバ心線毎に連結部１２と非連結部１３とが間欠的に形成されている。
【００２４】
図３の構成は、図２の構成と比べて、非連結部１３の比率が大きくなるため、テープ心線の変形がし易く、十分な変形容易性を得ることができる。また、光ケーブル化時にテープが柔軟に変形するため、高密度収納を実現することができる。
【００２５】
なお、本発明は、４本の光ファイバ心線からなる間欠４心テープ心線にも適用することができるが、通常４心のテープ心線はケーブル中間部での単心分離が要求されるため、地下配線がメインで単心分離の必要がない８心以上のテープ心線に適用することが望ましい。また、本発明は、図２，図３に示した間欠８心テープ心線に限らず、間欠１２心テープ心線、間欠１６心テープ心線等にも適用することができる。
【００２６】
ここで、上記の多心ケーブルとした場合に、複数枚の間欠テープ心線が収容されるため、個々の間欠テープ心線を識別できるようにする必要がある。このため、間欠テープ心線の両端のうち少なくとも一端の隣り合う２本の光ファイバ心線の外被部分に、間欠テープ心線を識別するためのマーキングが付与されていることが望ましい。つまり、各端部の隣り合う２本の光ファイバ心線間には、間欠加工が施されていないため、この２本の光ファイバ心線の外被部分に、例えば、インクジェット方式などによりマーキングを印字する。
【００２７】
図４は、図３の間欠８心テープ心線１０ｂにマーキングを付与した例を示す図である。図中、Ｍはマーキングを示す。本例の場合、間欠８心テープ心線１０ｂの一端の隣り合う２本の光ファイバ心線の外被部分であって、非連結部１３に対応する部分に、マーキングＭ（図中、白抜きの３つの縦線に相当）が付与されている。ここでは、マーキングＭとして、印字した縦線の数で何番テープであるかを示すものとする。すなわち、１番テープであれば、非連結部１３に対応する外被部分に縦線を１本、２番テープであれば、非連結部１３に対応する外被部分に縦線を２本、などというようにして、各間欠テープ心線が何番テープであるかを識別できるようにする。図４の例では、非連結部１３に対応する外被部分に縦線が３本印字されているため、３番テープであると識別できる。
【００２８】
なお、上記において、マーキングＭを施す箇所は、上記に限定されるものではなく、間欠８心テープ心線１０ｂの両端に施すようにしてもよい。また、非連結部１３に対応する外被部分ではなく、連結部１２に対応する外被部分であってもよい。また、マーキングＭの印字色は、印字する光ファイバ心線の外被の色と異なる色にしたほうが、識別性の観点からより好ましい。
【００２９】
従来のテープマーキングのようにテープ全体に印字すると、間欠加工による単心部の印字が見え難いという問題があった。これに対して、上記のように、間欠加工を行わない端部２本の光ファイバ心線間には単心部が存在しないため、これら２本の光ファイバ心線の外被部分にマーキングを印字することで、より識別性を向上させることができる。
【００３０】
次に、本発明による間欠テープ心線の製造方法について説明する。間欠テープ心線については、これまで種々の形状と製造方法が提案されている。例えば、第１の方法は、隣り合う光ファイバ心線間の長手方向に所定長だけ接着性樹脂または被覆樹脂が付与された連結部と、所定長だけ接着性樹脂または被覆樹脂が付与されていない非連結部とを交互に形成する方法である。また、第２の方法は、複数本の光ファイバ心線の全長にＵＶ（紫外線硬化）樹脂を塗布した後、長手方向に間欠的にＵＶ照射を行い、ＵＶ樹脂の硬化部分（連結部）と未硬化部分（非連結部）とを交互に形成する方法である。また、第３の方法は、光ファイバテープ心線の共通被覆の長手方向にカッター刃で切り込みを形成し、連結部と非連結部とを交互に形成する方法である。
【００３１】
本発明の間欠テープ心線の製造方法としては、上記の第１〜第３のいずれの方法を用いてもよい。以下では、製造方法の実施例として、第３の方法を用いた場合について具体的に説明する。
【００３２】
図５は、間欠加工前の光ファイバテープ心線の一例を示す図である。図中、１０′は光ファイバテープ心線を示す。この光ファイバテープ心線１０′は、８本の光ファイバ心線１１（被覆径２５０μｍ）を平行一列に並べ、全体にテープ樹脂（ＵＶ樹脂）１５を塗布して共通被覆が形成されている。すなわち、図５の光ファイバテープ心線１０′は、間欠加工前に共通被覆が施された状態のテープ心線であって、テープ厚が約２８０μｍ、テープ幅が約２ｍｍとされる。
【００３３】
図６は、本発明による間欠テープ心線の製造に使用される製造装置の一例を示す図である。図中、２０は繰出機、２１はサプライガイドローラ、２２はサプライダンサローラ、２３は集線ローラ、２４は樹脂供給装置、２５はＵＶ樹脂タンク、２６は加圧装置、２７はＵＶ照射装置、２８は引取ガイドローラ、２９は引取機、３０はアキュームレータ、３１は巻取ダンサローラ、３２は巻取ガイドローラ、３３は巻取機、３４は間欠加工装置を示す。
【００３４】
間欠テープ心線の製造は、まず、複数本（ここでは８本）の光ファイバ心線１１をそれぞれの繰出機２０から繰出し、サプライガイドローラ２１およびサプライダンサローラ２２を介して、集線ローラ２３により平行一列に並べる。平行一列に並べられて走行される光ファイバ心線の少なくとも一方の配列面に、樹脂供給装置２４によりＵＶ樹脂が付与される。なお、樹脂供給装置２４へのＵＶ樹脂は、加圧装置２６により作動されるＵＶ樹脂タンク２５から供給される。
【００３５】
次いで、光ファイバ心線の配列面に付与されたＵＶ樹脂は、ＵＶ照射装置２７により硬化され、図５の光ファイバテープ心線１０′とされる。光ファイバテープ心線１０′は、引取ガイドローラ２８を経て引取機２９により引取られ、アキュームレータ３０および巻取ダンサローラ３１を経て、間欠加工装置３４に案内される。間欠加工装置３４では、光ファイバテープ心線１０′に間欠加工が行われ、連結部と非連結部とが形成された間欠８心テープ心線１０ａ（図２）または間欠８心テープ心線１０ｂ（図３）とされる。そして、間欠８心テープ心線１０ａまたは間欠８心テープ心線１０ｂは、巻取ガイドローラ３２に案内され、巻取機３３で巻き取られる。なお、テープ心線１０′の間欠加工は、別工程で行うようにしてもよい。
【００３６】
図７は、図６の間欠加工装置３４の一例を示す図である。間欠加工装置３４は、カッター刃３４ａと、テープガイド３４ｂとで構成される。間欠加工前の光ファイバテープ心線１０′がテープガイド３４ｂに案内されると、図７（Ａ）に示すように、切り込みを入れるべき位置にカッター刃３４ａを移動させ、図７（Ｂ）に示すように、カッター刃３４ａを降下させて切り込みを入れる。このようにして、光ファイバテープ心線１０′の所定位置に所定長の切り込みを入れていき、長手方向に連結部と非連結部とを形成する。これにより、前述の図２に示した間欠８心テープ心線１０ａまたは図３に示した間欠８心テープ心線１０ｂが製造される。
【００３７】
以上では、本発明による光ファイバテープ心線の実施形態について説明したが、本発明は、この光ファイバテープ心線を収容し、外被で被覆した光ケーブルの形態としてもよい。例えば、複数枚の光ファイバテープ心線をケーブルコアに収容し、このケーブルコアの外側を外被で被覆してなる光ケーブルとすることができる。
【００３８】
図８は、本発明による光ケーブルの一例を示す図で、スロット型光ファイバケーブルに上述した光ファイバテープ心線をユニット化して組み込んだものである。図８（Ａ）はスロット型光ファイバケーブルを示し、図８（Ｂ）は図８（Ａ）のスロット型光ファイバケーブルに収容されるテープ心線ユニットを示す。本例に示す間欠４心テープ心線１０ｃの場合、図３の８心の場合と同様に、両端の隣り合う光ファイバ心線間の長手方向には、連続的に連結部１４が形成され、両端の光ファイバ心線に挟まれた内部の隣り合う光ファイバ心線間の長手方向には、連結部１２と非連結部１３とが間欠的に形成されている。
【００３９】
そして、本例は、この間欠４心テープ心線１０ｃを１０枚並べ、各テープ心線間を連結部１６により連続的にあるいは間欠的に連結した４０心のテープ心線ユニット４５を、１スロット内に５枚ずつ収容した場合について示している。なお、本発明による光ケーブルに適用可能な間欠テープ心線は、上記の４心に限らず、８心、１２心、１６心等としてもよい。
【００４０】
図８（Ａ）において、光ファイバケーブル４０は、例えば、プラスチックで形成され、中心部に鋼線等のテンションメンバ４３が埋設されたスロットロッド４１を用いたもので、螺旋状またはＳＺ状のスロット溝４２に、上述したテープ心線ユニット４５を収納して構成される。スロット溝４２内にテープ心線ユニット４５を収納した後、外周面に上巻テープ（図示せず）を縦添えまたは横巻きで巻付け、その外周をポリエチレン等の外被４４で覆って形成される。本例の場合、１つのスロット溝４２に、４０心のテープ心線ユニット４５が５枚収納されるため、１つのスロット溝４２について、２００心の光ファイバ心線が収納されることになる。そして、このスロット溝４２が５個あるため、全体では１０００心の光ファイバ心線が収納される。
【００４１】
また、図８（Ｂ）のテープ心線ユニット４５は、間欠４心テープ心線１０ｃを１０枚平行一列に並べ、その片面側が連結部１６により連結され、４０心のテープ心線ユニットとされている。そして、図８（Ｂ）に示すように、連結部１６を内側にして丸めた形態としているが、連結部１６を外側にして丸めた形態としてもよい。連結部１６を内側にして丸めた場合、テープ心線ユニット４５を曲げ易いという利点がある。
【００４２】
図９は、本発明による光ケーブルの他の例を示す図で、上述した光ファイバテープ心線ユニットを複数束ねて集合し光ファイバケーブルに組み込んだものである。図９（Ａ）は光ファイバケーブルを示し、図９（Ｂ），（Ｃ）は図９（Ａ）の光ファイバケーブルに収容されるテープ心線ユニットの集合体を示す。本例のテープ心線ユニット５２は、例えば、図８（Ｂ）のテープ心線ユニット４５と同様である。
【００４３】
光ファイバケーブル５０は、例えば、テープ心線ユニット５２のユニット集合体５１を、複数（図では５組）組み付けて円形状に束ね、その外周をポリエチレン等の外被５５で覆って形成される。なお、外被５５には、鋼線等のテンションメンバ５６が埋設されると共に、外被引裂き用の引裂き紐５７が配設される。
【００４４】
光ファイバケーブル５０のユニット集合体５１は、例えば、図９（Ｂ）に示すように、複数のテープ心線ユニット５２を断面が扇状になるように束ねて、縦添えテープ５３ａと押え巻き紐５４により、集合一体化させて形成される。また、図９（Ｃ）に示すように、複数のテープ心線ユニット５２を断面が扇状になるように束ねて、横巻きテープ５３ｂで集合一体化させて形成してもよい。
【００４５】
なお、図９（Ｂ），（Ｃ）に示すテープ心線ユニット５２は、例えば、４０心のテープ心線ユニットを使用し、これを５枚組み込んで２００心の光ファイバ心線からなるユニット集合体５１ａまたは５１ｂとした例である。また、図９（Ａ）の光ファイバケーブル５０は、２００心の光ファイバ心線からなるユニット集合体５１ａまたは５１ｂの５組を組み付けて、１０００心の光ファイバ心線を有する光ファイバケーブルとしたものである。なお、図９では、ユニット集合体５１ａまたは５１ｂの断面形状を扇状としているが、光ファイバケーブルとして組み付け易い形状としたもので、これに特定されるものではない。
【符号の説明】
【００４６】
１０，１０ａ，１０ｂ…間欠テープ心線（間欠８心テープ心線）、１０ｃ…間欠テープ心線（間欠４心テープ心線）、１０′…光ファイバテープ心線、１１…光ファイバ心線、１２，１４，１６…連結部、１３…非連結部、１５…テープ樹脂、２０…繰出機、２１…サプライガイドローラ、２２…サプライダンサローラ、２３…集線ローラ、２４…樹脂供給装置、２５…ＵＶ樹脂タンク、２６…加圧装置、２７…ＵＶ照射装置、２８…引取ガイドローラ、２９…引取機、３０…アキュームレータ、３１…巻取ダンサローラ、３２…巻取ガイドローラ、３３…巻取機、３４…間欠加工装置、４０，５０…光ファイバケーブル、４１…スロットロッド、４２…スロット溝、４３，５６…テンションメンバ、４４，５５…外被、４５，５２…テープ心線ユニット、５１，５１ａ，５１ｂ…ユニット集合体、５３ａ…縦添えテープ、５３ｂ…横巻きテープ、５４…押え巻き紐、５７…引裂き紐。
【図１】
2014228688.tif 000003
【図２】
2014228688.tif 000004
【図３】
2014228688.tif 000005
【図４】
2014228688.tif 000006
【図５】
2014228688.tif 000007
【図６】
2014228688.tif 000008
【図７】
2014228688.tif 000009
【図８】
2014228688.tif 000010
【図９】
2014228688.tif 000011
【図１０】
2014228688.tif 000012
【図１１】
2014228688.tif 000013